【手続補正書】
【提出日】平成22年3月10日(2010.3.10)
【手続補正１】
【補正対象書類名】特許請求の範囲
【補正対象項目名】全文
【補正方法】変更
【補正の内容】
【特許請求の範囲】
【請求項１】
送信するパケットデータの種類に応じて複数の変調方式を切り替える無線通信の送信回路において、
前記変調方式に対応して与えられる切替信号に応じて増幅度を切り替えるための切替手段を設けたことを特徴とする無線通信の送信回路。
【請求項２】
前記複数の変調方式には少なくとも振幅偏移変調と直交位相偏移変調が含まれ、前記増幅度を切り替えることによって変調方式に拘らず出力レベルが一定となるように構成されていることを特徴とする請求項１記載の無線通信の送信回路。
【請求項３】
振幅偏移変調及び直交位相偏移変調の変調方式で、高周波電力増幅器を介して送信信号を出力する無線通信の送信回路において、
前記振幅偏移変調の変調方式で前記送信信号が出力される場合と前記直交位相偏移変調の変調方式で前記送信信号が出力される場合とに応じて、前記高周波電力増幅器での前記送信信号の増幅率が制御されることを特徴とする無線通信の送信回路。
【請求項４】
振幅偏移変調及び直交位相偏移変調の変調方式で、高周波電力増幅器を介して送信信号を出力する無線通信の送信回路において、
前記直交位相偏移変調の変調方式で前記送信信号が出力される場合の、前記高周波電力増幅器での前記送信信号の増幅率は、前記振幅偏移変調の変調方式で前記送信信号が出力される場合の、前記高周波電力増幅器での前記送信信号の増幅率よりも低いことを特徴とする無線通信の送信回路。
【請求項５】
請求項３又は４記載の無線通信の送信回路において、
前記高周波電力増幅器での前記送信信号の前記増幅率は、電源電位と接地電位との間に接続された抵抗手段の抵抗値を切り換えることによって制御されることを特徴とする無線通信の送信回路。
【請求項６】
請求項５記載の無線通信の送信回路は、
前記電源電位と前記接地電位との間に接続され、前記抵抗手段の抵抗値を切り換えるスイッチ手段を有することを特徴とする無線通信の送信回路。
【請求項７】
請求項５又は６記載の無線通信の送信回路において、
前記高周波電力増幅器の前記抵抗手段は、前記電源電位と前記接地電位との間に直列に接続された第１及び第２の抵抗素子と、前記第１の抵抗素子と前記第２の抵抗素子との間のノードと前記接地電位との間に接続された第３の抵抗素子とを有しており、
前記振幅偏移変調の変調方式で前記送信信号が出力される場合には、前記第３の抵抗素子と前記ノードとの間で非導通状態が維持され、
前記直交位相偏移変調の変調方式で前記送信信号が出力される場合には、前記第３の抵抗素子と前記ノードとの間で導通状態が維持されることを特徴とする無線通信の送信回路。
【請求項８】
請求項３又は４記載の無線通信の送信回路において、
前記高周波電力増幅器の入力側には可変減衰器が接続されていることを特徴とする無線通信の送信回路。
【請求項９】
振幅偏移変調及び直交位相偏移変調の変調方式で、高周波電力増幅器を介して送信信号を出力する無線通信の送信方法において、
前記振幅偏移変調の変調方式で前記送信信号が出力される場合と前記直交位相偏移変調の変調方式で前記送信信号が出力される場合とに応じて、前記高周波電力増幅器での前記送信信号の増幅率が制御されることを特徴とする無線通信の送信方法。
【請求項１０】
振幅偏移変調及び直交位相偏移変調の変調方式で、高周波電力増幅器を介して送信信号を出力する無線通信の送信方法において、
前記直交位相偏移変調の変調方式で前記送信信号が出力される場合は、前記振幅偏移変調の変調方式で前記送信信号が出力される場合に比べて、前記高周波電力増幅器での前記送信信号の増幅率が低く設定されることを特徴とする無線通信の送信方法。
【請求項１１】
請求項９又は１０記載の無線通信の送信方法において、
前記高周波電力増幅器での前記送信信号の前記増幅率は、電源電位と接地電位との間に接続された抵抗手段の抵抗値を切り換えることによって制御されることを特徴とする無線通信の送信方法。
【請求項１２】
請求項１１記載の無線通信の送信方法において、
前記抵抗手段の抵抗値は、前記電源電位と前記接地電位との間に接続されたスイッチ手段によって切り換えられることを特徴とする無線通信の送信方法。
【請求項１３】
請求項１１又は１２記載の無線通信の送信方法において、
前記高周波電力増幅器の前記抵抗手段は、前記電源電位と前記接地電位との間に直列に接続された第１及び第２の抵抗素子と、前記第１の抵抗素子と前記第２の抵抗素子との間のノードと前記接地電位との間に接続された第３の抵抗素子とを有しており、
前記振幅偏移変調の変調方式で前記送信信号が出力される場合には、前記第３の抵抗素子と前記ノードとの間で非導通状態が維持され、
前記直交位相偏移変調の変調方式で前記送信信号が出力される場合には、前記第３の抵抗素子と前記ノードとの間で導通状態が維持されることを特徴とする無線通信の送信方法。
【請求項１４】
請求項９又は１０記載の無線通信の送信方法において、
前記高周波電力増幅器の入力側に接続された可変減衰器によって、前記増幅率が制御されることを特徴とする無線通信の送信方法。
【手続補正２】
【補正対象書類名】明細書
【補正対象項目名】発明の名称
【補正方法】変更
【補正の内容】
【発明の名称】無線通信の送信回路及び無線通信の送信方法
【手続補正３】
【補正対象書類名】明細書
【補正対象項目名】０００１
【補正方法】変更
【補正の内容】
【０００１】
本発明は、ＡＳＫ(Amplitude  Shift  Keying:振幅偏移）変調とＱＰＳＫ(Quadrature  Phase  Shift  Keying：直交位相偏移）変調等の変調方式を切り替えて送信する無線機における無線通信の送信回路及び無線通信の送信方法に関するものである。
【手続補正４】
【補正対象書類名】明細書
【補正対象項目名】００１９
【補正方法】変更
【補正の内容】
【００１９】
本発明のうちの第１の発明の無線通信の送信回路は、送信するパケットデータの種類に応じて複数の変調方式を切り替える無線通信の送信回路において、前記変調方式に対応して与えられる切替信号に応じて増幅度を切り替えるための切替手段を設けたことを特徴としている。
第２の発明の無線通信の送信回路は、振幅偏移変調及び直交位相偏移変調の変調方式で、高周波電力増幅器を介して送信信号を出力する無線通信の送信回路において、前記振幅偏移変調の変調方式で前記送信信号が出力される場合と前記直交位相偏移変調の変調方式で前記送信信号が出力される場合とに応じて、前記高周波電力増幅器での前記送信信号の増幅率が制御されることを特徴としている。
第３の発明の無線通信の送信回路は、振幅偏移変調及び直交位相偏移変調の変調方式で、高周波電力増幅器を介して送信信号を出力する無線通信の送信回路において、前記直交位相偏移変調の変調方式で前記送信信号が出力される場合の、前記高周波電力増幅器での前記送信信号の増幅率は、前記振幅偏移変調の変調方式で前記送信信号が出力される場合の、前記高周波電力増幅器での前記送信信号の増幅率よりも低いことを特徴としている。
第４の発明の無線通信の送信方法は、振幅偏移変調及び直交位相偏移変調の変調方式で、高周波電力増幅器を介して送信信号を出力する無線通信の送信方法において、前記振幅偏移変調の変調方式で前記送信信号が出力される場合と前記直交位相偏移変調の変調方式で前記送信信号が出力される場合とに応じて、前記高周波電力増幅器での前記送信信号の増幅率が制御されることを特徴としている。
第５の発明の無線通信の送信方法は、振幅偏移変調及び直交位相偏移変調の変調方式で、高周波電力増幅器を介して送信信号を出力する無線通信の送信方法において、前記直交位相偏移変調の変調方式で前記送信信号が出力される場合は、前記振幅偏移変調の変調方式で前記送信信号が出力される場合に比べて、前記高周波電力増幅器での前記送信信号の増幅率が低く設定されることを特徴としている。
【手続補正５】
【補正対象書類名】明細書
【補正対象項目名】００２０
【補正方法】変更
【補正の内容】
【００２０】
本発明の無線通信の送信回路及び無線通信の送信方法によれば、次の（１）〜（３）のような効果がある。
（１）  変調方式に対応して与えられる切替信号に応じて増幅度を切り替えるための切替手段を有している。これにより、変調器から出力される変調信号のレベルが変調方式によって異なっていても、送信回路の出力レベルを一定に保つことができる。
（２） 振幅偏移変調の変調方式で送信信号が出力される場合と直交位相偏移変調の変調方式で送信信号が出力される場合とに応じて、高周波電力増幅器での送信信号の増幅率が制御されるので送信回路の出力レベルを一定に保つことができる。
（３） 直交位相偏移変調の変調方式で送信信号が出力される場合の、高周波電力増幅器での送信信号の増幅率は、振幅偏移変調の変調方式で送信信号が出力される場合の、高周波電力増幅器での送信信号の増幅率よりも低いので送信回路の出力レベルを一定に保つことができる。
【手続補正６】
【補正対象書類名】明細書
【補正対象項目名】００２８
【補正方法】変更
【補正の内容】
【００２８】
一方、ベースバンド部から出力される送信データＳＤＩ，ＳＤＱは、変調器２０へ与えられるようになっている。変調器２０は、ＡＳＫとＱＰＳＫの２種類の変調が可能なもので、２つの送信データＳＤＩ，ＳＤＱを与えるとＱＰＳＫ変調された送信信号Ｓ２０を出力し、一方の送信データ（例えば、ＳＤＱ）を固定するとＡＳＫ変調された送信信号Ｓ２０を出力するように構成されている。なお、変調器２０には、チャネル設定信号ＣＨで設定された局部発振器１５の発振信号が、被変調波として与えられるようになっており、この変調器２０の出力側が、切替手段である高周波電力増幅器３０を介してアンテナスイッチ１２の送信側に接続されている。
【手続補正７】
【補正対象書類名】明細書
【補正対象項目名】００２９
【補正方法】変更
【補正の内容】
【００２９】
高周波電力増幅器３０は、送信信号Ｓ２０がＡＳＫ変調であるかＱＰＳＫ変調であるかを示す切替信号Ａ／Ｐによって増幅度を切り替えることができるものである。この高周波電力増幅器３０は、変調器２０の送信信号Ｓ２０がゲートに与えられて導通状態が制御されるトランジスタ３１と、このトランジスタ３１のドレインと電源電位ＶＤＤの間に接続された負荷インダクタ３２と、このトランジスタ３１のゲートにバイアス電圧を与えるため電源電位ＶＤＤと接地電位との間に直列接続された抵抗手段又は第１の抵抗素子である抵抗３３及び抵抗手段又は第２の抵抗素子である抵抗３４とを有している。
更に、高周波電力増幅器３０は、抵抗３３と抵抗３４との間のノードと接地電位との間に直列接続されたスイッチ手段であるスイッチ３５と、抵抗手段又は第３の抵抗素子である抵抗３６とを有している。スイッチ３５は、トランジスタ３１のゲートに印加するバイアス電圧を切替信号Ａ／Ｐに従って変化させる機能を有している。なお、２つのバイアス電圧は、ＡＳＫ変調信号を増幅した時の出力レベルとＱＰＳＫ変調信号を増幅した時の出力レベルがほぼ同じレベルになるように設定されている。また、切替信号Ａ／Ｐは、ベースバンド部から与えられるようになっている。
【手続補正８】
【補正対象書類名】明細書
【補正対象項目名】００３１
【補正方法】変更
【補正の内容】
【００３１】
これに対して、ガソリンスタンド・システムに対する送信を行う場合、切替信号Ａ／Ｐをレベル“Ｌ”に設定する。そして、送信データＳＤＩ，ＳＤＱを使用してパケット状のデータを出力する。これにより、変調器２０からＱＰＳＫ変調された送信信号Ｓ２０が出力され、高周波電力増幅器３０に与えられる。高周波電力増幅器３０では、切替信号Ａ／Ｐによってスイッチ３５がオン状態にされ、抵抗３３，３４，３６で生成された基準よりも低いバイアス電圧がトランジスタ３１のゲートに印加される。これにより、送信信号Ｓ２０は、高周波電力増幅器３０において低い増幅率で電力増幅され、アンテナ１１から送信される。この結果、アンテナ１１から送信される高周波信号のレベルは、ＡＳＫ変調とＱＰＳＫ変調でほぼ同じレベルとなる。